(57)【要約】【課題】作業者が建物ユニットの上に適正に乗ることができる梯子を提供する。【解決手段】建物ユニットとしての出隅ユニット２０ＡがトラックＴにより工場から建築現場に運搬された場合、建築現場においては、出隅ユニット２０Ａを重機で吊り上げるための準備作業が行われる。この準備作業には、出隅ユニット２０Ａに梯子４１を装着する作業が含まれている。梯子４１は、梯子本体４２と、出隅ユニット２０Ａの天井大梁に当接可能な上側当接部４３と、床大梁に当接可能な下側当接部４４とを有している。上側当接部４３は、天井大梁に上方から引っ掛けられる引っ掛け部であり、下側当接部４４は、梯子本体４２の厚み方向に向けて突出した突出部である。梯子４１は、上側当接部４３が天井大梁に引っ掛けられ、且つ下側当接部４４が床大梁の側面に当接していることで、出隅ユニット２０Ａに対する装着状態が保持されるものである。【選択図】      図１
2015224534.tif 000002
【特許請求の範囲】
【請求項１】
柱、天井大梁及び床大梁を有する建物ユニットが建築現場に設置される前の状態において、前記建物ユニットの外周側から該建物ユニットの上に昇降することを可能とする建物ユニット用の梯子であって、
一対の支柱が複数の踏み桟により連結された梯子本体と、
前記梯子本体に設けられ、前記建物ユニットに引っ掛けることが可能な引っ掛け部と、
前記引っ掛け部よりも低い位置に設けられ、前記梯子本体の厚み方向に突出している突出部と、
を備え、
前記引っ掛け部が前記天井大梁に引っ掛けられ、且つ前記突出部が前記床大梁における前記建物ユニットの外周側の側面に当接することで、前記建物ユニットに装着されるものであることを特徴とする建物ユニット用の梯子。
【請求項２】
前記引っ掛け部は、
前記梯子本体の厚み方向に延び、前記天井大梁の上面に重ねられる上側重ね部と、
前記重ね部から下方に向けて延び、前記天井大梁における前記建物ユニットの内周側の側面に重ねられる内側重ね部と、
を有していることを特徴とする請求項１に記載の建物ユニット用の梯子。
【請求項３】
前記建物ユニットは、
前記天井大梁に設けられ、当該建物ユニットの上に設けられる屋根下地材を支持可能な支持ブラケットを有しており、
前記支持ブラケットは、前記天井大梁の上面から上方に向けて延びている上方延出部を有しており、
前記引っ掛け部においては、当該引っ掛け部が前記天井大梁に引っ掛けられた場合に前記上方延出部を収納する収納部が、前記上側重ね部が上方に向けて凹むことで形成されていることを特徴とする請求項２に記載の建物ユニット用の梯子。
【請求項４】
前記梯子本体は、
前記引っ掛け部が設けられた上側本体部と、
前記上側本体部の下側に配置され、前記突出部が設けられた下側本体部と、
を有し、前記上側本体部と前記下側本体部とが分離可能又は折り畳み可能に接続されていることで形成されたものであることを特徴とする請求項１乃至３のいずれか１項に記載の建物ユニット用の梯子。
【請求項５】
前記突出部には、前記床大梁に吸着されることで該床大梁に対する当該突出部の当接状態を保持する磁石が設けられていることを特徴とする請求項１乃至４のいずれか１項に記載の建物ユニット用の梯子。
【請求項６】
前記突出部は、
前記床大梁における前記建物ユニットの外周側の側面に当接する外側重ね部と、
前記梯子本体の厚み方向に延び、前記床大梁の下面に重ねられる下側重ね部と、
を有していることを特徴とする請求項１乃至５のいずれか１項に記載の建物ユニット用の梯子。
【請求項７】
建物ユニットを吊り具を用いて吊り上げる際の準備として行う建物ユニットの吊り上げ準備方法であって、
トラックの荷台に搭載された前記建物ユニットに請求項１に記載の前記梯子を装着する装着工程と、
作業者が前記梯子で前記建物ユニットの上に乗り、該作業者が前記吊り具を該建物ユニットに取り付ける工程と、
前記建物ユニットを前記吊り具により吊り上げることで、前記梯子が装着された状態のまま当該建物ユニットを前記荷台から浮かせ、前記作業者が前記吊り具の状態を変化させることで前記建物ユニットのバランスを整える工程と、
前記建物ユニットを降下させることで再び前記荷台の上に載せ、前記作業者が前記梯子で当該建物ユニットから降りた後に、同建物ユニットから前記梯子を取り外す工程と、
を備えていることを特徴とする建物ユニットの吊り上げ準備方法。
【請求項８】
前記建物ユニットの外周部には、当該建物ユニットを含んで建物が構築された場合に該建物の外壁を形成する外壁部分と、同建物の内側に配置される屋内部分とが含まれており、
前記装着工程では、前記建物ユニットの前記屋内部分に対して前記梯子を装着することを特徴とする請求項７に記載の建物ユニットの吊り上げ準備方法。
【請求項９】
直方体状に形成された前記建物ユニットにおいては、隣り合う側面部に架け渡された状態で前記屋内部分が設けられ、該屋内部分には、前記隣り合う側面部の交差部分に前記柱として屋内柱が配置されており、
前記吊り具は、前記建物ユニットに引っ掛け可能なフックが接続された吊り索を複数有しており、
複数の前記吊り索には、当該吊り索の長さ寸法を調整することが可能な長さ調整部を有する調整索が含まれており、
前記装着工程では、前記複数のフックのうち前記調整索に接続されたフックを前記屋内柱の上端部に引っ掛けることを特徴とする請求項８に記載の建物ユニットの吊り上げ準備方法。
【発明の詳細な説明】
【技術分野】
【０００１】
本発明は、建物ユニット用の梯子及びこの梯子を用いた建物ユニットの吊り上げ準備方法に関するものである。
【背景技術】
【０００２】
住宅等の建物として、複数の建物ユニットを組み合わせて構築されたユニット式建物がある。ユニット式建物は、工場にて製造された建物ユニットがトラックで建築現場に運搬され、その建物ユニットが建築現場で設置されることで構築される。建築現場にて建物ユニットが設置される場合、その建物ユニットは、吊り具が取り付けられてクレーン等の重機により吊り上げられる。
【０００３】
トラックに搭載された建物ユニットに吊り具を取り付ける方法としては、作業者が梯子を使用してトラックの上や建物ユニットの上に登る方法がある。梯子を使用してトラックの上に登る方法としては、梯子をトラックの荷台に装着する方法（例えば特許文献１参照）や、地面に立てた梯子をトラックに搭載された建物ユニットに立て掛ける方法がある。
【先行技術文献】
【特許文献】
【０００４】
【特許文献１】特開２００５−３１３８８７号公報
【発明の概要】
【発明が解決しようとする課題】
【０００５】
しかしながら、梯子を使用して建物ユニットの上に登る方法については、改善の余地がある。例えば、梯子をトラックの荷台に装着する方法では、建物ユニットに対する梯子の相対位置が、荷台に対する建物ユニットの相対位置に依存するため、梯子を使用しても建物ユニットの上に乗り移ることが困難な状況が生じる可能性が高い。また、地面に立てた梯子をトラックに搭載された建物ユニットに立て掛ける方法では、トラックが狭小スペースに停車している場合に、梯子を立てるスペースをトラックの周囲に確保できないことが懸念される。
【０００６】
本発明は、上記事情に鑑みてなされたものであり、作業者が建物ユニットの上に適正に乗ることができる梯子を提供することを主たる目的とするものである。
【課題を解決するための手段】
【０００７】
以下、上記課題を解決するのに有効な手段等につき、必要に応じて作用、効果等を示しつつ説明する。なお以下においては、理解の容易のため、発明の実施の形態において対応する構成を括弧書き等で適宜示すが、この括弧書き等で示した具体的構成に限定されるものではない。
【０００８】
第１の発明の建物ユニット用の梯子は、柱（柱２１）、天井大梁（天井大梁２２）及び床大梁（床大梁２３）を有する建物ユニット（建物ユニット２０）が建築現場に設置される前の状態において、前記建物ユニットの外周側から該建物ユニットの上に昇降することを可能とする建物ユニット用の梯子（梯子４１）であって、一対の支柱（支柱４６）が複数の踏み桟（踏み桟４７）により連結された梯子本体（梯子本体４２）と、前記梯子本体に設けられ、前記建物ユニットに引っ掛けることが可能な引っ掛け部（上側当接部４３）と、前記引っ掛け部よりも低い位置に設けられ、前記梯子本体の厚み方向に突出している突出部（下側当接部４４）と、を備え、前記引っ掛け部が前記天井大梁に引っ掛けられ、且つ前記突出部が前記床大梁における前記建物ユニットの外周側の側面に当接することで、前記建物ユニットに装着されるものであることを特徴とする。
【０００９】
第１の発明によれば、梯子を建物ユニットの躯体に装着することが可能であるため、作業者は、建物ユニットの状況に関係なく、梯子を使用して建物ユニットの上に乗ることができる。例えば、建物ユニットがトラックの荷台に搭載されている状況において、その荷台に梯子が装着されている場合とは異なり、トラックの荷台に対する建物ユニットの相対位置に関係なく、梯子を登って建物ユニットに乗り移ることができる。また、建物ユニットの周囲において地面等に梯子を立てることができない状況であっても、梯子を建物ユニットに装着することでその梯子を適正に使用することができる。
【００１０】
ここで、建物ユニットは、一般的にトラックで複数まとめて運搬される物品とは異なり、単一物であって、且つ安定状態でトラックの荷台に載置される重量物であるため、梯子を荷台に装着したり地面に立てたりすることなく建物ユニットだけに装着しても、作業者が梯子を昇降した際に建物ユニットの載置状態が不安定になりにくい。このため、作業者は梯子の昇降作業を安全に行うことができる。
【００１１】
しかも、梯子が建物ユニットに装着された状態では、引っ掛け部が天井大梁に引っ掛けられ、且つ突出部が床大梁の側面に当接しているため、梯子に登っている作業者からの荷重により突出部が床大梁の側面に押し付けられることで、建物ユニットに対する梯子の装着状態が適正に保持されることになる。このため、作業者が梯子を昇降している最中に梯子の装着状態が意図せずに不適になるという事態が生じにくくなっている。
【００１２】
以上により、作業者は、梯子を建物ユニットに装着することで、その建物ユニットの上に適正に乗ることができる。
【００１３】
第２の発明では、第１の発明において、前記引っ掛け部は、前記梯子本体の厚み方向に延び、前記天井大梁の上面に重ねられる上側重ね部（上側重ね部６２）と、前記重ね部から下方に向けて延び、前記天井大梁における前記建物ユニットの内周側の側面に重ねられる内側重ね部（内側重ね部６３）と、を有している。
【００１４】
第２の発明によれば、梯子が建物ユニットに装着された状態で、引っ掛け部が天井大梁から離間するということが内側重ね部により規制されるため、作業者が梯子を昇降する際の安全性を高めることができる。しかも、上側重ね部が天井大梁の上に重ねられることで、作業者が梯子を昇降している最中に意図せずに梯子が上下に変位するということを抑制できる。
【００１５】
第３の発明では、第２の発明において、前記建物ユニットは、前記天井大梁に設けられ、当該建物ユニットの上に設けられる屋根下地材を支持可能な支持ブラケット（屋根ブラケット７１）を有しており、前記支持ブラケットは、前記天井大梁の上面から上方に向けて延びている上方延出部（延出板部７３）を有しており、前記引っ掛け部においては、当該引っ掛け部が前記天井大梁に引っ掛けられた場合に前記上方延出部を収納する収納部（収納部４３ａ）が、前記上側重ね部が上方に向けて凹むことで形成されている。
【００１６】
第３の発明によれば、梯子の引っ掛け部に収納部が形成されているため、建物ユニットの天井大梁に屋根下地用の支持ブラケットが設けられていても、その支持ブラケットの上方延出部を引っ掛け部の収納部に収納させることで、梯子の装着に伴って支持ブラケットの変形や破損が生じるということを回避できる。したがって、建物ユニットに対する梯子の装着位置が支持ブラケットにより制限されるということを抑制できる。
【００１７】
第４の発明では、第１乃至第３のいずれかの発明において、前記梯子本体は、前記引っ掛け部が設けられた上側本体部（上側本体部５６）と、前記上側本体部の下側に配置され、前記突出部が設けられた下側本体部（下側本体部５７）と、を有し、前記上側本体部と前記下側本体部とが分離可能又は折り畳み可能に接続されていることで形成されたものである。
【００１８】
第４の発明によれば、複数の本体部により形成された梯子本体において、引っ掛け部と突出部とが別々の本体部に取り付けられているため、これら引っ掛け部と突出部との離間距離を設定する場合に、その離間距離が本体部の長さ寸法により制限されるということを回避できる。このため、建物ユニットという高さ寸法の大きなものを装着対象とした梯子について、引っ掛け部及び突出部を適正な位置に配置することができる。しかも、梯子本体が複数の本体部に分離又は折り畳まれることで、梯子を建物ユニットと共に運搬することが容易になる。
【００１９】
第５の発明では、第１乃至第４のいずれかの発明において、前記突出部には、前記床大梁に吸着されることで該床大梁に対する当該突出部の当接状態を保持する磁石（磁石５４）が設けられている。
【００２０】
第５の発明によれば、梯子が建物ユニットに装着された状態において、突出部が床大梁の側面に当接した状態が磁石の吸着力により保持されるため、梯子の装着状態が意図せずに不適になるという事態が更に生じにくくなっている。
【００２１】
ここで、建物ユニットに装着された状態の梯子においては、天井大梁に引っ掛けられた引っ掛け部が梯子に対する荷重を負担することになるため、その荷重を突出部が負担しなくても梯子の装着状態が保持される。したがって、本発明のように、磁石を用いることで、突出部による荷重負担よりも、床大梁に対する突出部の着脱の容易性を優先したとしても、梯子の装着状態を適正に保持できる。
【００２２】
第６の発明では、第１乃至第５のいずれかの発明において、前記突出部は、前記床大梁における前記建物ユニットの外周側の側面に当接する外側重ね部（外側重ね部９２）と、前記梯子本体の厚み方向に延び、前記床大梁の下面に重ねられる下側重ね部（下側重ね部９４）と、を有している。
【００２３】
第６の発明によれば、梯子が建物ユニットに装着された場合に、突出部の下側重ね部が床大梁の下面に引っ掛かった状態になることで、梯子の上端部が天井大梁から離間するように梯子が倒れるということを抑制できる。
【００２４】
第７の発明の建物ユニットの吊り上げ準備方法は、建物ユニットを吊り具（吊り具８１）を用いて吊り上げる際の準備として行う建物ユニットの吊り上げ準備方法であって、トラックの荷台に搭載された前記建物ユニットに請求項１に記載の前記梯子を装着する装着工程と、作業者が前記梯子で前記建物ユニットの上に乗り、該作業者が前記吊り具を該建物ユニットに取り付ける工程と、前記建物ユニットを前記吊り具により吊り上げることで、前記梯子が装着された状態のまま当該建物ユニットを前記荷台から浮かせ、前記作業者が前記吊り具の状態を変化させることで前記建物ユニットのバランスを整える工程と、前記建物ユニットを降下させることで再び前記荷台の上に載せ、前記作業者が前記梯子で当該建物ユニットから降りた後に、同建物ユニットから前記梯子を取り外す工程と、前記建物ユニットを前記荷台から移動させるために前記吊り具により吊り上げる工程と、を備えていることを特徴とする。
【００２５】
トラックの荷台に搭載された建物ユニットが吊り上げられることで建築現場に設置される場合、建物ユニットを吊り上げた際のバランスが悪いと、その建物ユニットを適正な状態で設置することが困難になる。このため、建物ユニットをトラックの荷台から離間する程度に一旦吊り上げ、その状態で建物ユニットの吊り上げバランスを整えるという作業が行われる。ところが、梯子がトラックの荷台に装着されている場合や、梯子が地面に立てられている場合には、建物ユニットを一旦吊り上げた際にこの建物ユニットが梯子に接触することや梯子が倒れることが懸念されるため、吊り上げバランスを整える作業の前後で梯子の着脱作業を行う必要があり、その分だけ手間が生じる。
【００２６】
これに対して、第７の発明によれば、装着工程において梯子を建物ユニットに装着するため、作業者が建物ユニットの上に乗って吊り具を取り付ける作業、建物ユニットを一旦吊り上げる作業、その建物ユニットの吊り上げバランスを整える作業、作業者が梯子を使って建物ユニットから降りる作業、という各種作業を行う間に梯子の着脱作業を行う必要がない。したがって、建物ユニットを吊り上げる前の準備作業、及び建物ユニットの吊り上げ作業に関して作業負担を低減できる。
【００２７】
第８の発明では、第７の発明において、前記建物ユニットの外周部には、当該建物ユニットを含んで建物が構築された場合に該建物の外壁を形成する外壁部分（外壁長辺部３５ａ、外壁短辺部３６ａ）と、同建物の内側に配置される屋内部分（屋内長辺部３５ｂ、屋内短辺部３６ｂ）とが含まれており、前記装着工程では、前記建物ユニットの前記屋内部分に対して前記梯子を装着する。
【００２８】
第８の発明によれば、梯子が外壁の存在しない屋内部分に対して装着されるため、梯子の装着に伴って外壁を傷付けるということが生じない。このため、建物ユニットに梯子を装着する前に、養生シートを建物ユニットや梯子に取り付けるという準備作業を行わなくてもよいため、梯子を建物ユニットに装着する際の作業負担を低減できる。
【００２９】
第９の発明では、第８の発明において、直方体状に形成された前記建物ユニットにおいては、隣り合う側面部に架け渡された状態で前記屋内部分が設けられ、該屋内部分には、前記隣り合う側面部の交差部分に前記柱として屋内柱（屋内柱２１Ｂ）が配置されており、前記吊り具は、前記建物ユニットに引っ掛け可能なフックが接続された吊り索（調整索８２、定尺索８３）を複数有しており、複数の前記吊り索には、当該吊り索の長さ寸法を調整することが可能な長さ調整部（長さ調整部８２ｂ）を有する調整索（調整索８２）が含まれており、前記装着工程では、前記複数のフックのうち前記調整索に接続されたフックを前記屋内柱の上端部に引っ掛ける。
【００３０】
第９の発明によれば、吊り具において、複数の吊り索に調整索が含まれているため、作業者が長さ調整部を操作して調整索の長さ寸法を増減させることで、建物ユニットの吊り上げバランスを容易に調整することができる。
【００３１】
ここで、吊り具の吊り索を柱の上端部に引っ掛けた状態で建物ユニットを吊り上げる場合、屋内部分の柱に引っ掛けられた吊り索に加えられる荷重が、外壁部分側の柱に引っ掛けられた吊り索に加えられる荷重よりも小さいと想定される。このため、本発明のように、屋内柱に調整索が引っ掛けられていることで、調整索に加えられる荷重が極力小さくなっているため、その調整索の長さ増減作業を容易に行うことができる。
【図面の簡単な説明】
【００３２】
【図１】出隅ユニットを搭載したトラックの斜視図
【図２】出隅ユニットを搭載したトラックの縦断面図
【図３】梯子の側面図
【図４】上側当接部の構成を説明するための図
【図５】出隅ユニットを吊り上げる際の作業手順を示す図
【図６】出隅ユニットに装着した状態の吊り具を示す図
【図７】薄型ユニットを搭載したトラックの縦断面図
【図８】建物の概略図
【図９】建物ユニットの構成を示す斜視図
【図１０】別の梯子の下側当接部周辺の側面図
【発明を実施するための形態】
【００３３】
以下、本発明を具体化した一実施形態について図面を参照しつつ説明する。本実施形態では、本発明の梯子を、ユニット式建物を構築する際に用いる梯子として具体化している。まず、ユニット式建物について、図８、図９を参照しつつ説明する。図８は建物１０の概略図、図９は建物ユニット２０の構成を示す斜視図である。
【００３４】
図８に示すように、住宅等の建物１０は、建物１０は、基礎１１上に設けられた建物本体１２と、その上方に設けられた屋根部１３とを備える。建物本体１２は、下階部としての一階部分１４と、上階部としての二階部分１５とを有している。屋根部１３は、陸屋根（フラットルーフ）であり、二階部分１５に対して設けられている。
【００３５】
建物１０は、複数の建物ユニット２０が互いに連結されることで構築されており、鉄骨ラーメン構造を有する二階建てのユニット式建物である。各建物ユニット２０は、全体として直方体状に形成されている。建物１０においては、一階部分１４及び二階部分１５のそれぞれが複数の建物ユニット２０を有しており、二階部分１５の複数の建物ユニット２０には、建物１０の出隅部分を形成する出隅ユニット２０Ａが含まれている。
【００３６】
図９に示すように、出隅ユニット２０Ａは、四隅に配置された柱２１と、柱２１の上端部（上仕口）に連結された天井大梁２２と、柱２１の下端部（下仕口）に連結された床大梁２３とを有しており、これら柱２１、天井大梁２２、床大梁２３により直方体状の骨格（フレーム）が形成されている。柱２１は四角筒状の角形鋼よりなる。また、天井大梁２２及び床大梁２３は断面コ字状の溝形鋼よりなり、溝部開放側を互いに向き合わせるようにユニット内側に向けて配置されている。
【００３７】
出隅ユニット２０Ａにおいて長辺部（桁面）に沿って延び且つ相対する天井大梁２２の間には、所定間隔で複数の天井小梁２５が架け渡されている。同じく長辺部に沿って延び且つ相対する床大梁２３の間には、所定間隔で複数の床小梁２６が架け渡されている。天井小梁２５及び床小梁２６は、それぞれ同一の間隔で且つ短辺側（妻側）の天井大梁２２及び床大梁２３と平行に延びている。天井小梁２５及び床小梁２６はそれぞれリップ溝形鋼よりなる。天井小梁２５によって天井面材２８が支持され、床小梁２６によって床面材２９が支持されている。
【００３８】
出隅ユニット２０Ａにおいては、柱２１、天井大梁２２及び床大梁２３により形成された骨格がユニット躯体３１とされており、このユニット躯体３１が建物躯体を構成している。
【００３９】
出隅ユニット２０Ａは、ユニット躯体３１に加えて、このユニット躯体３１に取り付けられた外壁パネル３２，３３を有している。外壁パネル３２，３３は、建物１０の外壁面を形成するものであり、天井大梁２２と床大梁２３とに架け渡された状態でそれら大梁２２，２３に固定されている。外壁パネル３２，３３のうち第１外壁パネル３２は、出隅ユニット２０Ａの長手方向に延びており、第２外壁パネル３３は、短手方向に延びている。
【００４０】
外壁パネル３２，３３は、ユニット躯体３１に固定された外壁下地と、外壁下地の屋外側に設けられた外壁面材とを有している。外壁下地は、ランナやスタッドなどの長尺部材を複数有する下地フレームであり、外壁面材は、窯業系サイディングボード等により形成された外装材である。
【００４１】
出隅ユニット２０Ａは、一対の長辺部３５ａ，３５ｂ及び一対の短辺部３６ａ，３６ｂを側面部として有している。一対の長辺部３５ａ，３５ｂのうち、第１外壁パネル３２を含む外壁長辺部３５ａは、建物１０が構築された状態で外壁を形成し、第１外壁パネル３２を含まない屋内長辺部３５ｂは、建物１０が構築された状態で屋内側に配置される。同様に、一対の短辺部３６ａ，３６ｂのうち、第２外壁パネル３３を含む外壁短辺部３６ａは、建物１０が構築された状態で外壁を形成し、第２外壁パネル３３を含まない屋内短辺部３６ｂは、建物１０が構築された状態で屋内側に配置される。
【００４２】
出隅ユニット２０Ａの外周部においては、外壁長辺部３５ａ及び外壁短辺部３６ａが外壁部分に相当し、屋内長辺部３５ｂ及び屋内短辺部３６ｂが屋内部分に相当する。この場合、外壁部分及び屋内部分は、それぞれ隣り合う側面部に架け渡された状態になっている。
【００４３】
出隅ユニット２０Ａにおいて４本の柱２１には、外壁長辺部３５ａと外壁短辺部３６ａとの交差部分（境界部）に配置された出隅柱２１Ａ、屋内長辺部３５ｂと屋内短辺部３６ｂとの交差部分に配置された屋内柱２１Ｂが含まれている。この場合、出隅柱２１Ａは、外壁部分の中間位置に配置されており、屋内柱２１Ｂは、屋内部分の中間位置に配置されている。また、４本の柱２１には、外壁部分と屋内部分との境界部に配置された境界柱２１Ｃ，２１Ｄが含まれている。境界柱２１Ｃは、外壁長辺部３５ａと屋内短辺部３６ｂとの境界部に配置されており、境界柱２１Ｄは、外壁短辺部３６ａと屋内長辺部３５ｂとの境界部に配置されている。
【００４４】
なお、出隅ユニット２０Ａは、外壁パネル３２，３３に加えて屋根パネルを有している。屋根パネルは、屋根小梁や野地板等の屋根下地材と、折板材等の屋根仕上材（屋根葺き材）とを有しており、外壁パネル３２，３３に接続されている一方で、屋内長辺部３５ｂ及び屋内短辺部３６ｂの上方には配置されていない。つまり、屋内長辺部３５ｂ及び屋内短辺部３６ｂにおいては、天井大梁２２に対して屋根パネルが固定されていない。これは、出隅ユニット２０Ａとその隣の建物ユニット２０とをユニット躯体３１同士で連結する際に、屋根パネルが支障にならないようにするためである。
【００４５】
建物ユニット２０は、工場で製造され、その後、トラック等により工場から建築現場に運搬される。建築現場においては、建物ユニット２０は、クレーン等の重機により吊り上げられることで設置場所に下ろされる。なお、建物ユニット２０は、保護シートにより覆われた状態で工場から建築現場に運搬される。保護シートは、建物ユニット２０が建築現場にて設置場所に下ろされる前に取り外される。
【００４６】
ここでは、出隅ユニット２０ＡがトラックＴに搭載された場合について、図１、図２を参照しつつ説明する。図１は出隅ユニット２０Ａを搭載したトラックＴの斜視図、図２は出隅ユニット２０Ａを搭載したトラックＴの縦断面図である。なお、図２においては、トラックＴの縦断面部分を前方から見た図を示す。また、図１、図２には、建築現場において、出隅ユニット２０Ａから保護シートが取り外された状態の図を示す。
【００４７】
図１、図２に示すように、出隅ユニット２０Ａは、トラックＴの荷台Ｔ１に積載されている。荷台Ｔ１においては、出隅ユニット２０Ａの長辺部３５ａ，３５ｂがトラックＴの進行方向（荷台Ｔ１の長手方向）に延びており、屋内短辺部３６ｂが前側（座席側）に配置され、外壁短辺部３６ａが後側に配置されている。
【００４８】
なお、トラックＴの荷台Ｔ１には、出隅ユニット２０Ａを荷台Ｔ１に対して固定する固定穴が設けられている。固定穴は、荷台Ｔ１の上面（載置面）を形成する荷台板が下方に向けて凹んだ凹部であり、出隅ユニット２０Ａは、柱２１や床大梁２３から下方に向けて突出した凸部が固定穴に挿入される位置に載置されている。出隅ユニット２０Ａの凸部には、荷台板の下方から固定穴の底部を貫通して固定ボルトがねじ込まれており、この固定ボルトにより出隅ユニット２０Ａが荷台Ｔ１に固定されている。このため、固定ボルトが取り外されることで、荷台Ｔ１に対する出隅ユニット２０Ａの固定が解除される。
【００４９】
建築現場においては、トラックＴを所定位置に停車させた後、出隅ユニット２０Ａを吊り上げるための準備作業を行う。この準備作業には、出隅ユニット２０Ａに梯子４１を装着する作業が含まれており、作業者は、この梯子４１を昇降することで出隅ユニット２０Ａに乗った状態での作業を行うことが可能になる。梯子４１は、出隅ユニット２０Ａの外壁長辺部３５ａにおいて天井大梁２２及び床大梁２３に対して装着される。
【００５０】
梯子４１は、作業者の昇降を可能とする梯子本体４２と、出隅ユニット２０Ａの天井大梁２２に当接する上側当接部４３と、床大梁２３に当接する下側当接部４４とを有している。
【００５１】
梯子本体４２は、昇降方向に延びている一対の支柱４６と、これら支柱４６を連結している複数の踏み桟４７とを有している。各支柱４６及び踏み桟４７は、いずれもアルミニウム等の金属材料により形成されている。踏み桟４７は、支柱４６の長手方向に所定間隔で並べられている。例えば、各支柱４６の長さ寸法は４．８ｍとされており、踏み桟４７の間隔は３０ｃｍとされている。
【００５２】
上側当接部４３は、天井大梁２２に上方から引っ掛け可能な引っ掛け部であり、下側当接部４４は、梯子本体４２の厚み方向に向けて突出している突出部である。上側当接部４３及び下側当接部４４は、いずれも梯子本体４２の各支柱４６に取り付けられており、上側当接部４３は、梯子本体４２の上端寄りの位置に配置され、下側当接部４４は、上側当接部４３よりも下方において梯子本体４２の下端寄りの位置に配置されている。
【００５３】
梯子本体４２は、上側当接部４３よりも上方に突出した上側部分４２ａと、下側当接部４４よりも下方に突出した下側部分４２ｂと、上側部分４２ａと下側部分４２ｂとの間に配置された中間部分４２ｃとを有している。上側部分４２ａの長さ寸法は、作業者が梯子４１から出隅ユニット２０Ａの上に乗り移る際に手摺として機能可能な大きさ（例えば９０ｃｍ）とされている。下側部分４２ｂの長さ寸法は、地面と出隅ユニット２０Ａとの離間距離よりも小さくされており、下側部分４２ｂの下端部が地面から所定距離（例えば２０ｃｍ）だけ上方に配置される大きさ（例えば９０ｃｍ）とされている。
【００５４】
梯子４１が出隅ユニット２０Ａに装着された場合、その昇降方向は鉛直方向に対して傾斜している。水平方向に対する梯子本体４２の角度は、作業者が梯子４１を安全に昇降できる所定角度θ（例えば７５度）とされている。この場合、梯子本体４２の下端部はトラックＴから側方に離間した位置に配置されている一方で、梯子本体４２の上端部は出隅ユニット２０Ａの上方位置に配置されている。
【００５５】
下側当接部４４は、その先端部が床大梁２３の外側面（出隅ユニット２０Ａの外周側の側面）に当接していることで、梯子４１を水平方向に対して所定角度で保持することになる。下側当接部４４は、梯子本体４２に取り付けられた一対の当接アーム部５１と、これら当接アーム部５１の各先端部を連結している連結部５２と、当接アーム部５１を支えている補助アーム部５３とを有しており、当接アーム部５１の先端部及び連結部５２により下側当接部４４の先端部が形成されている。梯子４１が出隅ユニット２０Ａに装着された場合、連結部５２は、床大梁２３の側面に重ねられた状態で、その床大梁２３の長手方向に延びることになる。
【００５６】
補助アーム部５３は、当接アーム部５１の中間部分から梯子本体４２に向けて斜め上方に延びており、当接アーム部５１と支柱４６とに架け渡された状態になっている。支柱４６においては、補助アーム部５３の固定位置が当接アーム部５１の固定位置より高い位置に配置されている。この場合、補助アーム部５３は、重力に抗して当接アーム部５１を上方から支持していることになる。
【００５７】
下側当接部４４は、当接アーム部５１の先端部に取り付けられた磁石５４を有している。磁石５４は、その磁力により床大梁２３の側面に吸着されることで、下側当接部４４の先端部を床大梁２３に当接した状態で保持することが可能になっている。つまり、梯子４１を出隅ユニット２０Ａに装着された状態で保持することが可能になっている。磁石５４は、当接アーム部５１の下側に配置されており、一対の当接アーム部５１のそれぞれに取り付けられている。
【００５８】
なお、磁石５４は、下側当接部４４において連結部５２に取り付けられていてもよい。また、磁石５４は、下側当接部４４において、床大梁２３の上面や下面に吸着される態様で設けられていてもよい。
【００５９】
次に、梯子４１について図３、図４を参照しつつ説明する。図３は梯子４１の側面図、図４は上側当接部４３の構成を説明するための図である。なお、図３においては、（ａ）に上側当接部４３及び下側当接部４４の移動態様を示し、（ｂ）に梯子４１の分解図を示す。図４においては、（ａ）に梯子４１における上側当接部４３周辺の拡大図を示し、（ｂ）に出隅ユニット２０Ａにおける出隅柱２１Ａの上端部周辺の斜視図を示す。
【００６０】
図３（ａ）に示すように、梯子４１においては、下側当接部４４が梯子本体４２に対して折り畳み可能になっており、下側当接部４４は、折り畳まれることで突出状態から折り畳み状態に移行する。下側当接部４４においては、当接アーム部５１が支柱４６に対して回動可能に軸支され、補助アーム部５３が当接アーム部５１に対して回動可能に軸支されている。補助アーム部５３は、固定部材等により支柱４６に対して着脱可能に固定されており、支柱４６に対する補助アーム部５３の固定が解除されることで、当接アーム部５１及び補助アーム部５３の回動が可能になる。下側当接部４４は、当接アーム部５１及び補助アーム部５３の両方が支柱４６に沿って延びた状態に移行することで折り畳み状態に移行し、補助アーム部５３が固定部材等により支柱４６に対して固定されることで、折り畳み状態が保持される。
【００６１】
図３（ｂ）に示すように、梯子本体４２は、上側当接部４３が取り付けられた上側本体部５６と、下側当接部４４が取り付けられた下側本体部５７とを有しており、これら本体部５６，５７は、ボルト等の連結具により互いに分離可能に連結されている。上側本体部５６及び下側本体部５７は、それぞれ一対の支柱部５６ａ，５７ａを有しており、上側本体部５６の支柱部５６ａと下側本体部５７の支柱部５７ａとが連結されていることで支柱４６が形成されている。なお、一対の支柱部５６ａ，５７ａは踏み桟４７により連結されている。また、連結具は、つまみ等の把持部を有しており、作業者が連結具の着脱を容易に実施できるようになっている。
【００６２】
支柱４６においては、支柱部５６ａ，５７ａが重ね合わされた状態で互いに連結されている。上側本体部５６においては、その最下段の踏み桟４７から支柱部５６ａが下方に延出しており、この延出部分に連結孔５６ｂが複数形成されている。下側本体部５７においては、その最上段の踏み桟４７から支柱部５７ａが上方に延出しており、この延出部分に連結孔５７ｂが複数形成されている。上側本体部５６と下側本体部５７とは、それぞれの連結孔５６ｂ，５７ｂが連通するように支柱部５６ａ，５７ａが重ねられ状態で、連結孔５６ｂ，５７ｂに連結具が挿通されることで連結されている。
【００６３】
上側本体部５６と下側本体部５７とは長さ寸法がほぼ同じにされている。ここで、梯子４１は、出隅ユニット２０Ａを搭載したトラックＴや、他の建物ユニット２０を搭載したトラックに載せて工場から建築現場に運搬される。このため、出隅ユニット２０Ａの天井大梁２２と床大梁２３とに架け渡すことができるほどの大型の梯子４１であっても、上側本体部５６と下側本体部５７とに分割することで、建物ユニット２０を搭載した状態のトラックの荷台において、その余剰部分を利用して梯子４１を載せることが可能になる。
【００６４】
図４（ａ）に示すように、上側当接部４３は、全体としてコ字状に形成されている。上側当接部４３は、支柱４６（上側本体部５６の支柱部５６ａ）に取り付けられたベース部６１と、天井大梁２２の上面に重ねられる上側重ね部６２と、天井大梁２２の内側面（出隅ユニット２０Ａの内周側の側面）に重ねられる内側重ね部６３とを有している。これらベース部６１、上側重ね部６２及び内側重ね部６３は、金属材料等の硬質材料により一体的に成型されている。
【００６５】
ベース部６１は、上側重ね部６２を挟んで内側重ね部６３に対向しており、天井大梁２２の外側面（出隅ユニット２０Ａの外周側の側面）に重ねられる外側重ね部にもなっている。上側当接部４３においては、ベース部６１、上側重ね部６２及び内側重ね部６３により凹部６５が形成されており、この凹部６５に天井大梁２２を入り込ませることで、上側当接部４３が天井大梁２２に引っ掛けられたことになる。
【００６６】
上側当接部４３は、凹部６５の内周面に重ねられた保護層６６を有している。保護層６６は、ゴムや合成樹脂材料により形成されており、ベース部６１や上側重ね部６２及び内側重ね部６３が天井大梁２２に直接接触しないようにしている。このため、上側当接部４３の硬質部分により天井大梁２２に傷が付くことを保護層６６により抑制できる。
【００６７】
図４（ｂ）に示すように、出隅ユニット２０Ａの天井大梁２２には、屋根パネルを支持する支持ブラケットとしての屋根ブラケット７１が取り付けられている。屋根ブラケット７１は、天井大梁２２の上面に固定された固定板部７２と、この固定板部７２から上方に向けて延びている上方延出部としての延出板部７３とを有している。屋根ブラケット７１は、アングル等の鋼材により形成され、直交する方向に延びる一対の板部を有しており、一方の板部が固定板部７２を形成し、他方の板部が延出板部７３を形成している。屋根パネルは、延出板部７３の上端部に屋根小梁が固定されることで屋根ブラケット７１に対して取り付けられるようになっている。
【００６８】
上述したように、工場から出荷された状態の出隅ユニット２０Ａにおいては、屋内長辺部３５ｂの天井大梁２２に屋根パネルが固定されていないため、上側当接部４３を天井大梁２２に引っ掛けることが可能になっている。ところが、屋内長辺部３５ｂにおいては、屋根パネルが天井大梁２２に固定されていないことで屋根ブラケット７１が露出した状態になっており、上側当接部４３を天井大梁２２に引っ掛ける際に、屋根ブラケット７１が支障になることが懸念される。
【００６９】
これに対して、上側当接部４３には、屋根ブラケット７１の延出板部７３を収納する収納部４３ａが形成されている。収納部４３ａは、凹部６５内において上側重ね部６２の下面が上方に向けて凹むことで形成されており、屋根ブラケット７１の延出板部７３を収納可能な大きさ及び形状とされている。収納部４３ａ内には保護層６６が設けられていない。収納部４３ａは、梯子４１からの荷重が延出板部７３ではなく天井大梁２２に加えられるような形状及び配置とされており、収納部４３ａ内に保護層６６が設けられていなくても、上側重ね部６２により延出板部７３が傷付きにくいようになっている。収納部４３ａは、上側重ね部６２において内側重ね部６３側の端部に配置されている。
【００７０】
上側当接部４３が天井大梁２２に引っ掛けられた場合、屋根ブラケット７１は、天井大梁２２と共に上側当接部４３の凹部６５に入り込み、特に、延出板部７３は収納部４３ａ内に収納される。この場合、上側重ね部６２は、屋根ブラケット７１の固定板部７２に上から重ねられた状態になる。
【００７１】
建物１０においては、一階部分１４の建物ユニット２０が二階部分１５の出隅ユニット２０Ａ等の建物ユニット２０よりも高さ寸法の大きいハイユニットとされている。ハイユニットにおいては、天井大梁２２と床大梁２３との離間距離が出隅ユニット２０Ａよりも大きくなっている。これに対して、梯子４１は、出隅ユニット２０Ａに加えてハイユニットにも装着可能な構成になっている。
【００７２】
図３（ａ）、図４（ａ）に示すように、梯子４１においては、上側当接部４３が梯子本体４２に沿って移動可能になっている。上側当接部４３は、第１位置Ｎ１と、この第１位置Ｎ１よりも高い位置にある第２位置Ｎ２とに移動可能になっており、梯子４１が出隅ユニット２０Ａに装着される場合には第１位置Ｎ１に配置され、梯子４１がハイユニットに装着される場合には第２位置Ｎ２に配置される。
【００７３】
上側当接部４３は、ベース部６１が支柱４６の外側面に重ねられた状態で、支柱４６に対して着脱可能に取り付けられている。支柱４６には、その長手方向に沿って取付孔４６ａが複数設けられ、ベース部６１には、支柱４６の取付孔４６ａに連通可能な取付孔６１ａが所定数（例えば２個）設けられている。上側当接部４３は、互いに連通する取付孔４６ａ，６１ａにボルト等の取付具が挿通されることで、支柱４６に取り付けられている。上側当接部４３は、取付具を取り外すことで第１位置Ｎ１及び第２位置Ｎ２に移動可能になっており、支柱４６においては、上側当接部４３の取り付けに用いられる取付孔６１ａが第１位置Ｎ１と第２位置Ｎ２とで異なるものが選択されるようになっている。なお、取付具は、つまみ等の把持部を有しており、作業者が取付具の着脱を容易に実施できるようになっている。
【００７４】
次に、出隅ユニット２０ＡをトラックＴの荷台Ｔ１から吊り上げる際の作業手順について、図１、図４〜図６を参照しつつ説明する。図５は出隅ユニット２０Ａを吊り上げる際の作業手順を示す図、図６は出隅ユニット２０Ａに装着した状態の吊り具８１を示す図である。
【００７５】
図５（ａ）に示すように、建築現場に到着したトラックＴに出隅ユニット２０Ａが搭載されている。トラックＴを建築現場の所定位置に停車させた状態で、荷台Ｔ１に対する出隅ユニット２０Ａの固定を解除する。また、図１、図５（ｂ）に示すように、出隅ユニット２０Ａの屋内長辺部３５ｂに梯子４１を装着する。この場合、例えば梯子４１が外壁長辺部３５ａや外壁短辺部３６ａに装着された場合に比べて、梯子４１により外壁パネル３２，３３や屋根パネルを傷付けるという事態が生じにくくなっている。また、梯子４１の装着に際して外壁パネル３２，３３や屋根パネルが支障になりにくいため、梯子４１の装着状態が不安定になるということを回避できる。
【００７６】
また、梯子４１は、出隅ユニット２０Ａに装着された場合に、下端から出隅ユニット２０Ａに向けて斜め上方に延びているため、作業者が梯子４１を昇降している状態で、磁石５４による床大梁２３に対する吸着力に加えて、その作業者からの荷重により下側当接部４４が床大梁２３に押し付けられた状態になる。このため、下側当接部４４が床大梁２３から離間して梯子４１が不安定な状態になるという事態が生じにくくなっている。
【００７７】
その後、図５（ｃ）に示すように、作業者が梯子４１を登って出隅ユニット２０Ａの上に乗り、吊り具８１を出隅ユニット２０Ａに取り付ける。図６に示すように、吊り具８１は、索８２，８３と、これら索８２，８３を連結した連結リング８４とを有しており、重機のブームから吊り下げられた重機フックに連結リング８４を引っ掛けて使用されるものである。
【００７８】
索８２，８３のうち、調整索８２は長さ調整が可能な吊り索になっており、定尺索８３は長さ調整ができない吊り索になっている。調整索８２は、ワイヤやチェーン等の線状部材により形成された索本体８２ａと、チェーンブロック等の長さ調整部８２ｂとを有している。長さ調整部８２ｂは、索本体８２ａの中間位置に配置され、索本体８２ａの巻き取り及び繰り出しを行うことで調整索８２の長さ寸法を増減させることが可能になっている。定尺索８３は、長さ調整部８２ｂを有しておらず、線状部材の長さ寸法により定尺索８３の長さ寸法が設定されている。
【００７９】
なお、長さ調整部８２ｂは、吊り具８１により出隅ユニット２０Ａが吊り上げられた状態など、張力が加えられた状態で、作業者がチェーン等の操作部材を操作して調整索８２の長さ調整を行うことが可能になっている。
【００８０】
索８２，８３の先端部には、出隅ユニット２０Ａに引っ掛けることが可能な索フックが取り付けられている。図４（ｂ）に示すように、出隅ユニット２０Ａにおいては、索フックを引っ掛けることが可能な引っ掛け孔８６が、屋内柱２１Ｂ等の各柱２１の上端部に設けられている。引っ掛け孔８６は、柱２１の上面部を上下に貫通している。
【００８１】
図６に示すように、吊り具８１は、調整索８２を２本有している。各調整索８２においては、一端が連結リング８４に接続され、他端に索フックが接続されている。また、吊り具８１は、定尺索８３を１本有している。定尺索８３は、連結リング８４に挿通された状態で、その両端のそれぞれに索フックが接続された状態になっている。このため、定尺索８３は、２つの柱２１の各引っ掛け孔８６に架け渡された状態で出隅ユニット２０Ａに装着することが可能になっている。
【００８２】
吊り具８１が出隅ユニット２０Ａに取り付けられた状態では、屋内長辺部３５ｂに沿って並ぶ屋内柱２１Ｂ及び境界柱２１Ｄのそれぞれに調整索８２が引っ掛けられ、外壁長辺部３５ａに沿って並ぶ出隅柱２１Ａ及び境界柱２１Ｃのそれぞれに定尺索８３が引っ掛けられている。
【００８３】
吊り具８１を出隅ユニット２０Ａに取り付けた後、図５（ｄ）に示すように、吊り具８１による出隅ユニット２０Ａの吊り上げバランスを整えるために、出隅ユニット２０Ａを荷台Ｔ１から浮く程度に吊り上げる。この状態で、出隅ユニット２０Ａが水平状態になるように、調整索８２の長さ寸法を調整する。
【００８４】
ここで、出隅ユニット２０Ａにおいては、外壁長辺部３５ａ及び外壁短辺部３６ａの方が屋内長辺部３５ｂ及び屋内短辺部３６ｂよりも重量が大きいことに起因して、重心が出隅柱２１Ａ側に偏っていると想定される。そこで、調整索８２が屋内柱２１Ｂに引っ掛けられていることで、例えば調整索８２が出隅柱２１Ａに引っ掛けられた場合に比べて、調整索８２により持ち上げる又は引き下げる重量が小さくなるため、作業者が長さ調整部８２ｂを操作するために必要な力を極力小さくできる。
【００８５】
なお、定尺索８３は、連結リング８４に挿通された状態になっているため、連結リング８４に対する出隅柱２１Ａ及び境界柱２１Ｃの離間距離をまとめて調整することが可能になっている。このように、１本の定尺索８３を隣り合う２つの柱２１Ａ，２１Ｃに引っ掛けることで、出隅ユニット２０Ａの四隅に吊り具８１を引っ掛ける場合に、４本の調整索８２を使用しなくても、吊り上げ時の出隅ユニット２０Ａのバランスを整えることができる。
【００８６】
出隅ユニット２０Ａを吊り上げた場合、トラックＴにおいては、荷台Ｔ１が地面に対して上昇することになる。荷台Ｔ１に出隅ユニット２０Ａが搭載されている場合は、荷台Ｔ１の高さ位置がＨ１にある一方で、出隅ユニット２０Ａが荷台Ｔ１から上方に離間した場合には、サスペンションにより荷台Ｔ１の高さ位置がＨ２まで上昇する。
【００８７】
ここで、出隅ユニット２０Ａの吊り上げバランスを整える作業は、出隅ユニット２０Ａに梯子４１が装着された状態のまま行う。これにより、作業者が出隅ユニット２０Ａから降りるために梯子４１を再び装着するという手間を省くことができる。これに対して、例えば、梯子４１を地面に立てて出隅ユニット２０Ａに立て掛けていたのでは、出隅ユニット２０Ａの吊り上げに伴って梯子４１が倒れることが懸念される。また、梯子４１の下側当接部４４を荷台Ｔ１に当接させていたのでは、出隅ユニット２０Ａの吊り上げに伴って下側当接部４４が荷台Ｔ１から外れて梯子４１が出隅ユニット２０Ａから離脱することが懸念される。
【００８８】
なお、梯子４１の重量は、出隅ユニット２０Ａの重量に対して十分に小さいため、梯子４１の装着の有無は、出隅ユニット２０Ａの吊り上げバランスに影響を与えにくくなっている。
【００８９】
出隅ユニット２０Ａの吊り上げバランスを整えた後、図５（ｅ）に示すように、出隅ユニット２０Ａを下ろすことで、再び荷台Ｔ１の上に載せる。その後、作業者は梯子４１を使用して出隅ユニット２０Ａから降り、梯子４１を出隅ユニット２０Ａから取り外す。そして、図５（ｆ）に示すように、出隅ユニット２０Ａをバランスの整えられた状態で吊り上げ、建築現場において一階部分１４の建物ユニット２０の上に設置する。
【００９０】
また、建物１０において、複数の建物ユニット２０に、他の建物ユニット２０よりも薄型の薄型ユニット２０Ｂが含まれている場合、その薄型ユニット２０ＢもトラックＴにて運搬され、梯子４１が装着されることになる。ここでは、薄型ユニット２０Ｂについて、図７を参照しつつ説明する。図７は薄型ユニット２０Ｂを搭載したトラックＴの縦断面図である。なお、薄型ユニット２０Ｂは、短手方向の長さ寸法が出隅ユニット２０Ａ等の他の建物ユニット２０よりも小さいものであり、薄型ユニット２０Ｂとしては、前記長さ寸法が１／２であるハーフユニットがある。
【００９１】
図７に示すように、薄型ユニット２０Ｂは、トラックＴの幅方向において荷台Ｔ１のほぼ中央に載せられており、薄型ユニット２０Ｂにおいては、屋内長辺部３５ｂが荷台Ｔ１よりも内側に配置されている。これに対して、梯子４１においては、下側当接部４４が梯子本体４２から側方に延びており、梯子本体４２が荷台Ｔ１に引っ掛からない状態で下側当接部４４を屋内長辺部３５ｂの床大梁２３に当接している。この場合、荷台Ｔ１の上方位置においては、薄型ユニット２０Ｂの側方スペースがデッドスペースになってしまうが、このデッドスペースを利用して下側当接部４４を床大梁２３に当接させることができる。なお、荷台Ｔ１の側端部からの床大梁２３の離間距離（入り込み距離）は、梯子本体４２からの下側当接部４４の延出寸法よりも小さくされている。
【００９２】
［他の実施形態］
本発明は上記実施形態の記載内容に限定されず、例えば次のように実施されてもよい。
【００９３】
（１）上記実施形態では、梯子４１の下側当接部４４が床大梁２３の側面に当接可能な構成としたが、下側当接部４４が床大梁２３の側面に加えて、その床大梁２３の上面及び下面の少なくとも一方に当接可能な構成としてもよい。
【００９４】
例えば、図１０（ａ）に示すように、下側当接部４４が上下方向において床大梁２３に引っ掛かる引っ掛け部材９１を備えた構成とする。引っ掛け部材９１は、床大梁２３の外側面に重ねられる外側重ね部９２と、床大梁２３の上面に重ねられる上側重ね部９３と、床大梁２３の下面に重ねられる下側重ね部９４とを有している。引っ掛け部材９１は、断面コ字状の溝形鋼により形成されており、溝形鋼のウェブが外側重ね部９２とされ、上側フランジが上側重ね部９３とされ、下側フランジが下側重ね部９４とされている。
【００９５】
引っ掛け部材９１が床大梁２３に引っ掛けられた場合、床大梁２３が引っ掛け部材９１の溝部内に入り込んだ状態になっている。この場合、上側重ね部９３が床大梁２３の上面に引っ掛かることで、梯子４１の上端部が出隅ユニット２０Ａに近づく向きで梯子４１が倒れることを規制できる。また、下側重ね部９４が床大梁２３の下面に引っ掛かることで、梯子４１の上端部が出隅ユニット２０Ａから離れる向きで梯子４１が倒れることを規制できる。これらのことにより、引っ掛け部材９１が床大梁２３に引っ掛けられた状態では、梯子４１の変位が規制されるため、上側当接部４３が天井大梁２２から離脱しにくくなっている。
【００９６】
また、下側当接部４４が引っ掛け部材９１を有している構成では、上側当接部４３は、支柱４６に対して回動可能に軸支されていることが好ましい。これにより、上側当接部４３を天井大梁２２に引っ掛けた後、上側当接部４３の引っ掛け状態を保持したまま、支柱４６（梯子本体４２）を回動させながら引っ掛け部材９１を床大梁２３に引っ掛けることが可能になる。これにより、梯子４１を建物ユニット２０に適正に且つ確実に装着することができる。
【００９７】
さらに、下側当接部４４の下側重ね部９４が床大梁２３の下方に挿し入れられる場合には、出隅ユニット２０Ａが木材等のスペーサを介して荷台Ｔ１の上に載せられていることが好ましい。
【００９８】
（２）上記実施形態では、梯子４１を出隅ユニット２０Ａに装着した場合に下側当接部４４の一部として当接アーム部５１が床大梁２３に当接する構成としたが、下側当接部４４の一部であればどの部分が床大梁２３に当接してもよい。例えば、図１０（ｂ）に示すように、下側当接部４４が、当接アーム部５１及び補助アーム部５３に代えて、梯子本体４２に固定された一対の当接ユニット９５を有しており、これら当接ユニット９５の先端部が連結部５２により連結された構成とする。
【００９９】
この構成では、連結部５２は合板等の板材により形成されており、板面が当接ユニット９５の先端面に重ねられた状態で各当接ユニット９５にビス等により固定されている。連結部５２が床大梁２３に当接する場合、その板面が床大梁２３の側面に重ねられた状態になる。連結部５２の高さ寸法は、床大梁２３の高さ寸法とほぼ同じにされている。
【０１００】
当接ユニット９５は、上下に並べられた状態で梯子本体４２の厚み方向に延びている上側アーム部９６及び下側アーム部９７と、アーム部９６，９７の長手方向に並べられた状態でこれらアーム部９６，９７を接続している第１接続部９８及び第２接続部９９とを備えた構成とする。上側アーム部９６、下側アーム部９７及び第１接続部９８は、木材等の長尺材により形成されており、第２接続部９９は合板等の板材により形成されている。
【０１０１】
アーム部９６，９７は、それぞれの一端が互いに離間した状態で第１接続部９８により接続され、その第１接続部９８を介して支柱４６に固定されている。第１接続部９８は、支柱４６に沿って延びた状態で支柱４６の外側面にビス等により固定されている。アーム部９６，９７は、第１接続部９８とは反対側の各端部が当接又は近接した状態で第２接続部９９により接続されている。第２接続部９９は、アーム部９６，９７の各側面に架け渡された状態でアーム部９６，９７にビス等により固定されており、連結部５２は、アーム部９６，９７の先端面及び第２接続部９９の側端面に重ねられた状態で、アーム部９６，９７及び第２接続部９９にビス等により固定されている。
【０１０２】
梯子４１が出隅ユニット２０Ａに装着された状態では、下側アーム部９７が水平方向に延び、上側アーム部９６が支柱４６から床大梁２３に向けて斜め下方に延びている。なお、アーム部９６，９７は、両方が水平方向に延びていてもよく、両方が斜め上方や下方に延びていてもよい。
【０１０３】
（３）上記実施形態では、梯子４１を出隅ユニット２０Ａの外壁長辺部３５ａに装着していたが、屋内長辺部３５ｂや短辺部３６ａ，３６ｂに装着してもよい。例えば、梯子４１を屋内長辺部３５ｂに装着する場合、その屋内長辺部３５ｂが、天井大梁２２及び床大梁２３に梯子４１を装着した状態で、その梯子４１が第１外壁パネル３２や屋根パネルに接触しない態様に設定されていることが好ましい。
【０１０４】
（４）上記実施形態では、出隅ユニット２０Ａに装着された梯子４１が、その出隅ユニット２０Ａに向けて斜め上方に延びた状態になっていたが、鉛直方向に延びた状態になっていてもよい。例えば、支柱４６からの下側当接部４４の突出寸法が、床大梁２３に対する支柱４６の離間距離が天井大梁２２に対する支柱４６の離間距離と同じになる程度の大きさに設定された構成とする。
【０１０５】
（５）上記実施形態では、梯子４１において上側本体部５６と下側本体部５７とが分離可能に構成されていたが、これら本体部５６，５７は折り畳まれる構成としてもよい。例えば、上側本体部５６と下側本体部５７とが連結部材により互いに回動可能に連結された構成とする。この場合でも、本体部５６，５７を折り畳み状態に移行させることで、梯子４１をトラック等で運搬することが容易になる。
【０１０６】
（６）上記実施形態では、梯子４１において上側本体部５６と下側本体部５７とが上下に隣り合って配置されていたが、これら本体部５６，５７の間に中間本体部が配置されていてもよい。また、梯子４１は、１つの本体部により形成されていてもよい。この場合、１つの本体部に上側当接部４３及び下側当接部４４が両方とも取り付けられていることになる。
【０１０７】
（７）上記実施形態では、吊り具８１が調整索８２及び定尺索８３の両方を有していたが、いずれか一方を有していてもよい。
【符号の説明】
【０１０８】
１０…建物、２０…建物ユニット、２１…柱、２１Ｂ…屋内柱、２２…天井大梁、２３…床大梁、３５ａ…外壁部分を構成する外壁長辺部、３５ｂ…外壁部分を構成する外壁短辺部、３６ａ…屋内部分を構成する屋内長辺部、３６ｂ…屋内部分を構成する屋内短辺部、４１…梯子、４２…梯子本体、４３…引っ掛け部としての上側当接部、４３ａ…収納部、４４…突出部としての下側当接部、４６…支柱、４７…踏み桟、５４…磁石、５６…上側本体部、５７…下側本体部、６２…上側重ね部、６３…内側重ね部、７１…支持ブラケットとしての屋根ブラケット、７３…上方延出部としての延出板部、８１…吊り具、８２…吊り索としての調整索、８２ｂ…長さ調整部、８３…吊り索としての定尺索、９２…外側重ね部、９４…下側重ね部。
【図１】
2015224534.tif 000003
【図２】
2015224534.tif 000004
【図３】
2015224534.tif 000005
【図４】
2015224534.tif 000006
【図５】
2015224534.tif 000007
【図６】
2015224534.tif 000008
【図７】
2015224534.tif 000009
【図８】
2015224534.tif 000010
【図９】
2015224534.tif 000011
【図１０】
2015224534.tif 000012